(57)【要約】      （修正有）【課題】生花や造花、又は小物を入れ、簡単にプチブーケ等を作り込むことが可能なシンプルケースに関し、特にスーパーや店舗でスタッフ誰もが作り込みが可能であり、造花や生花、小物類等を簡単にラッピングし、例えばプチブーケを容易に作り込むことができるシンプルケースを提供する。【解決手段】シンプルケース１であって、デザイン５が施された所定形状の紙製の台座２と、この台座２に取り付けれ、生花又は造花又は小物を収納する透明ケース３と、台座２に一端が取り付けられ、透明ケース３に収納された生花又は造花又は小物を保定する２本のリボン４とを備えることを特徴とする。【選択図】図１
0003210064.tif 000002
【実用新案登録請求の範囲】
【請求項１】
デザインが施された所定形状の台座と、
該台座に取り付けれ、生花又は造花又は小物を収納する透明ケースと、
前記台座に一端が取り付けられ、前記透明ケースに収納されたと前記生花又は造花又は小物を保定する２本のリボンと、
を備えることを特徴とするシンプルケース。
【請求項２】
前記台座の所定形状は握持し易い四角推であることを特徴とする請求項１に記載のシンプルケース。
【請求項３】
前記台座の色は収納する前記生花又は造花又は小物に対応したロイヤルブルーであることを特徴とする請求項１、又は２に記載のシンプルケース。
【請求項４】
前記台座に前記透明ケースを取り付けた後、該透明ケース内に前記生花又は造花又は小物を収納し、前記台座に一端が取り付けられた２本の前記リボンで前記透明ケースを覆い、前記リボンを結んだ状態で前記生花又は造花又は小物が保定されていることを特徴とする請求項１、２、又は３に記載のシンプルケース。
【考案の詳細な説明】
【技術分野】
【０００１】
本考案は生花や造花、又は小物を入れ、簡単にプチブーケ等を作り込むことが可能なシンプルケースに関する。
【背景技術】
【０００２】
従来、造花や生花、小物類等を包装する手段として、例えば特許文献１が開示されている。この特許文献１は合成樹脂膜で二重構造の密封環状室を円筒状に形成し、その空間部に品物を包み込み、注入した空気で上記密封環状室を膨張させたパッケージケースである。また、特許文献２として、プラスチック封筒内を減圧状態下で圧縮密封した弾性緩衝材を備えたケースも提案されている。
【０００３】
しかしながら、上記特許文献１に係る発明では空間部の形状が限定され、収納する品物が限られると共に、収納する造花や生花、小物類等を簡単にラッピングすることができない。また、構造が複雑であり、例えばスーパーや店舗において、店員が簡単に商品の作り込みを行うことができない。
【０００４】
また、特許文献２はケース内に緩衝材を備えているが、緩衝材の為のスペースが必要となり、特許文献１と同様、収納する品物が限定されると共に、収納する造花や生花、小物類等を簡単にラッピングすることができない。
【先行技術文献】
【特許文献】
【０００５】
【特許文献１】特開昭５４−１３６９８５号公報
【特許文献２】特公表６３−５０２０９９号公報
【考案の概要】
【考案が解決しようとする課題】
【０００６】
そこで、本考案はスーパーや店舗でスタッフ誰もが作り込みが可能であり、造花や生花、小物類等を簡単にラッピングし、例えばプチブーケを容易に作り込むことができるシンプルケースを提案するものである。また、完成した例えばプチブーケにメッセージカードを取り付けることによって、幸せを運ぶギフト品として使用することも提案するものである。
【課題を解決するための手段】
【０００７】
上記課題は本考案によれば、デザインが施された所定形状の紙製の台座と、この台座に取り付けれ、生花又は造花又は小物を収納する透明ケースと、上記台座に一端が取り付けられ、透明ケースに収納されたと生花又は造花又は小物を保定する２本のリボンと、を備えるシンプルケースを提供することによって達成できる。
【０００８】
また、上記台座の所定形状は、例えば握持し易い四角推であり、台座の色は収納する前記生花又は造花又は小物に対応した、例えばイヤルブルーであることを特徴とする。
【０００９】
また、上記台座に透明ケースを取り付けた後、この透明ケース内に生花又は造花又は小物を収納し、台座に一端が取り付けられた２本のリボンで透明ケースを覆い、更にリボンを結び、生花又は造花又は小物を保定することを特徴とする。
【考案の効果】
【００１０】
本考案によれば、簡単にプチブーケを作ることができ、スーパーや店舗のスタッフの誰もがプチブーケを作り込むことができ、例えば接客しながら生花を一輪使用した美しいデザインのプチブーケを顧客に提供することができる。
【図面の簡単な説明】
【００１１】
【図１】本実施形態のシンプルケースの構成を示す図である。
【図２】紙製の台座の斜視図である。
【図３】本実施形態のシンプルケースを使用して、例えば生花を透明ケースに収納した状態を示す図である。
【図４】完成したプチブーケにメッセージカードを取り付けた一例を示す図である。
【考案を実施するための形態】
【００１２】
以下、本考案の実施形態を図面に基づいて詳細に説明する。
図１は本実施形態のシンプルケースの構成を示す図である。本例のシンプルケース１は台座２、透明ケース３、及び２本のリボン４で構成されている。図２は上記台座の斜視図であり、台座２は例えば握持し易い四角推の形状であり、例えば厚い紙材で形成されている。また、四角推の上記台座の色は、例えば気品漂うロイヤルブルーであり、収納された生花や造花を美しく引き立たせる色が使用されている。また、台座２の正面には所定のデザイン５が施されている。
【００１３】
透明ケース３は四角形の透明部材であり、図示しないが例えば透明なアクリルケースで構成されている。この透明ケース３を上記台座２の上に取り付け、生花又は造花又は小物の収納部を形成する。尚、透明ケース３はアクリルケースに限る訳ではなく、透明で比較的軽い部材であれば使用することができる。
【００１４】
２本のリボン４は一端が台座に取り付けられ、透明ケース３に生花又は造花又は小物を収納した状態で生花等を覆って結ぶ為に十分な長さを備え、例えば不図示の文字やデザインが施されている。また、この２本のリボン４の色は、例えば上記台座２の色に合わせてロイヤルブルーであり、収納された生花や造花をより美しく引き立たせる。
【００１５】
図３は、上記構成のシンプルケース１を使用して、例えば生花６を透明ケース３に収納した状態を示す図であり、本例のシンプルケース１を使用して作ったプチブーケの一例である。この作成は、上記台座２に透明ケース３を取り付けた後、この透明ケース３内に例えばバラの生花６を一輪入れ、台座２に一端が取り付けられた２本のリボン４で透明ケース３及び生花６を覆い、このリボン４を上方で結んで作成したものである。
【００１６】
すなわち、台座２に取り付けた透明ケース３にバラの生花６をポンッと入れればあっという間にプチブーケが完成し、極めて簡単にプチブーケを作ることができる。したがって、本例のシンプルケース１を使用することによって、スーパーや店舗のスタッフの誰もがプチブーケを作り込むことができ、接客しながらバラの生花６を一輪使用した美しいデザインのプチブーケを顧客に提供することができる。
【００１７】
尚、上記図３はバラの生花６を使用した例であるが、勿論バラに限らず他の花を使用してもよく、又生花又に限らず、造花や他の小物類を入れてプチブーケや、他の美しいデザインの製品を作成してもよい。
【００１８】
また、図４は完成したプチブーケ等の製品にメッセージカード７を取り付けた一例を示す図である。このようなメッセージカード７を取り付けることによって、例えばメッセージカード７のうち面にメッセージが書けるので様々なギフトシーンに利用することができる。
【符号の説明】
【００１９】
１・・・シンプルケース
２・・・台座
３・・・透明ケース
４・・・リボン
５・・・デザイン
６・・・バラの生花
７・・・メッセージカード
【図１】
0003210064.tif 000003
【図２】
0003210064.tif 000004
【図３】
0003210064.tif 000005
【図４】
0003210064.tif 000006